(57)【要約】【課題】遊技機の各部品（ユニット）ごとに、減価償却に関わる数値をリアルタイムで管理可能とする。【解決手段】遊技機を構成する構成要素（例えば、部品、ユニット、パーツなど）に付されたＩＣタグ等であって、構成要素を一意に特定する識別情報（例えば、部品ＩＤ）を記憶したＩＣタグ等から識別情報を読み取ることにより、構成要素の現在の資産価値を管理する価値管理装置である。この価値管理装置は、識別情報に対応づけて、構成要素の取得年月日及び取得価額を記憶する記憶部と、ＩＣタグ等から読み取った識別情報に対応する構成要素の取得年月日及び取得価額に基づいて、その構成要素の現在の資産価値を算出する価値算出部とを有する。【選択図】    図３
2007299280.tif 000002
【特許請求の範囲】
【請求項１】
遊技機を構成する構成要素に付された識別情報保持手段であって、構成要素を一意に特定する識別情報を記録した前記識別情報保持手段を読み取ることにより、構成要素の現在の資産価値を管理する価値管理装置であって、
前記識別情報に対応づけて、構成要素の取得年月日及び取得価額を記憶する記憶手段と、
前記識別情報保持手段から読み取った識別情報に対応する構成要素の取得年月日及び取得価額に基づいて、その構成要素の現在の資産価値を算出する算出手段と、
を有することを特徴とする価値管理装置。
【請求項２】
遊技機を構成する構成要素に付された識別情報保持手段であって、構成要素を一意に特定する識別情報を記憶した前記識別情報保持手段を読み取ることにより、構成要素の現在の資産価値を管理する価値管理装置であって、
遊技機又はその構成要素が資産に加わる場合に、構成要素に付された識別情報保持手段から識別情報を読み取る搬入側読み取り手段と、
遊技機又はその構成要素が資産からはずれる場合に、構成要素に付された識別情報保持手段から識別情報を読み取る搬出側読み取り手段と、
前記識別情報に対応づけて、構成要素の取得年月日及び取得価額を記憶する記憶手段と、
前記搬入側読み取り手段及び搬出側読み取り手段から識別情報を受け取り、その構成要素が資産に加わったか又は資産からはずれたかを判定する判定手段と、
前記構成要素の取得年月日及び取得価額に基づいてその構成要素の取得価額から減価償却累計額を差し引いた残存価額を算出し、前記判定手段の判定結果及び残存価格に基づいて、その構成要素の現在の資産価値を決定する算出手段と
を有することを特徴とする価値管理装置。
【請求項３】
前記価値管理装置は、その遊技機が有する構成要素の資産価値を用いて、各遊技機の資産価値を算出することを特徴とする、請求項２に記載の価値管理装置。
【請求項４】
前記識別情報保持手段は、ＩＣタグ、バーコード、又は二次元コードである、ことを特徴とする請求項１から３のいずれかに記載の価値管理装置。
【発明の詳細な説明】
【技術分野】
【０００１】
本発明は、価値管理装置に関し、より詳しくは遊技機や周辺機器などの部品、ユニット、パーツなどをリサイクルして使用する場合、その使用の度合いに応じて資産価値を把握することが可能な価値管理装置に関する。
【背景技術】
【０００２】
近年、環境に対して、企業が配慮をする必要が高まっている。企業の環境に対する配慮の一環として、できる限りリサイクルを行うことにより、資源の節約、廃棄による環境汚染の防止を図ろうと試みる企業が多くなっている。かかるリサイクルの活用のためいったん顧客に売った製品又はレンタルした製品あるいはその部品を回収し、新たな製品製造のために活用することも行われるようになってきた。
【発明の開示】
【発明が解決しようとする課題】
【０００３】
上記のようなリサイクルによる新たな製品の製造を行う場合には、回収した製品あるいは部品を、再利用の為の手入れを行い新たな製品のための在庫部品として保管することとなる。かかる在庫部品は企業会計上は、資産として扱われることとなる。回収してきた製品や部品は市場において使用されているため、新品の製品、部品に比べて耐用年数も短くなっており、資産としての価値も減少しているはずである。
【０００４】
しかし、従来の企業会計システムでは、かかる回収した製品、部品をそれぞれの使用した期間などに応じて評価することは行われておらず、必ずしも正確な製品在庫価格、部品在庫価格、個々の製品毎の工場出荷価格などの資産としての評価が行われていなかった。
【０００５】
本発明の目的は、遊技機や周辺機器の各部品（ユニット）ごとに、減価償却に関わる数値をリアルタイムで管理可能とすることにある。
【０００６】
本発明の別の目的は、工場出荷時の製品一台ごとの正確な工場出荷価格を把握し、リサイクルしたユニットを用いた製品製造における製造原価の把握を容易とすること、そして新品の部品の在庫価格と、回収しリサイクルしたユニットの在庫価格の把握を容易にすることを目的とする。
【課題を解決するための手段】
【０００７】
上記課題を解決する手段として、本発明は以下の特徴を有する。
本発明の第１の態様は、遊技機を構成する構成要素（例えば、部品、ユニット、パーツなど）に付されたＩＣタグ、バーコード、二次元コード（例えば、ＱＲコード（デンソーウェーブ社登録商標）、Ｍａｘｉコード、ＤＡＴＡ  ＭＡＴＲＩＸなど）などの識別情報保持手段であって、構成要素を一意に特定する識別情報（例えば、部品ＩＤ）を記録した識別情報保持手段から識別情報を読み取ることにより、構成要素の現在の資産価値を管理する価値管理装置として提案される。
【０００８】
この価値管理装置は、識別情報に対応づけて、構成要素の取得年月日及び取得価額を記憶する記憶手段（例えば、記憶部）と、識別情報保持手段から読み取った識別情報に対応する構成要素の取得年月日及び取得価額に基づいて、その構成要素の現在の資産価値を算出する算出手段（例えば、価値算出部）とを有することを特徴としている。
【０００９】
かかる価値管理装置によれば、遊技機の各部品（ユニット）ごとに、減価償却分を反映させたその構成要素の資産価値をリアルタイムで管理することが可能となる。
【００１０】
本発明の第２の態様は、遊技機を構成する構成要素（例えば、部品、ユニット、パーツ）に付された識別情報保持手段であって、構成要素を一意に特定する識別情報（例えば、部品ＩＤ）を記憶した識別情報保持手段を読み取ることにより、構成要素の現在の資産価値を管理する価値管理装置として提案される。
【００１１】
この価値管理装置は、遊技機又はその構成要素が資産に加わる場合（例えば、倉庫又は工場への搬入時）に、構成要素に付されたＩＣタグ等から識別情報を読み取る搬入側読み取り手段（例えば、搬入側リーダ／ライタ）と、遊技機又はその構成要素が資産からはずれる場合（例えば、倉庫又は工場からの搬出時）に、構成要素に付されたＩＣタグ等から識別情報を読み取る搬出側読み取り手段（例えば、搬出側リーダ／ライタ）と、識別情報に対応づけて、構成要素の取得年月日及び取得価額を記憶する記憶手段（例えば、記憶部）と、搬入側読み取り手段及び搬出側読み取り手段から識別情報を受け取り、その構成要素が資産に加わったか又は資産からはずれたかを判定する判定手段（例えば、判定部）と、構成要素の取得年月日及び取得価額に基づいてその構成要素の取得価額から減価償却累計額を差し引いた残存価額を算出し、判定手段の判定結果及び残存価格に基づいて、その構成要素の現在の資産価値を決定する算出手段（例えば、価値算出部）とを有することを特徴としている。
【００１２】
かかる価値管理装置によれば、リサイクルのために搬出されその後搬入される遊技機の各部品（ユニット）ごとに、減価償却分を反映させたその構成要素の資産価値をリアルタイムで管理することが可能となる。
【００１３】
上記価値管理装置は、その遊技機が有する構成要素の資産価値を用いて、各遊技機の資産価値を算出するようにしてもよい。
【００１４】
かかる価値管理装置によれば、リサイクルする部品を用いるためそれぞれ異なる資産価値又は製造原価となる遊技機について、工場出荷時（新品時及び再生後の出荷を含む）の製品一台ごとの正確な工場出荷価格を把握し、リサイクルしたユニットを用いた製品製造における製造原価、又は在庫となっている間の資産価値の把握、及び在庫しているリサイクルした部品を含む資産価値の把握を容易とする。
また、上記価値管理装置が読み取る識別情報保持手段は、どのような読み取り手段、媒体により識別情報を読み取るものであってもよく、例えば、無線により読み取りが行われるＩＣタグ、光学的読み取りが行われるバーコード（二次元パーコードを含む）である。
【発明の効果】
【００１５】
本発明によれば、リサイクル可能な遊技機の各部品（ユニット）を用いて新たな遊技機を製造する場合において、各部品（ユニット）について減価償却を考慮して資産価値を管理することができる。
【００１６】
本発明野別の態様によれば、工場出荷時の製品一台ごとの正確な工場出荷価格を把握し、リサイクルしたユニットを用いた製品製造における製造原価、及び／又は在庫の資産価値の把握を可能とする。
【発明を実施するための最良の形態】
【００１７】
以下、添付の素面を参照しながら本発明の実施の形態について説明する。
［１．概要］
図１は、本実施の形態にかかる資産管理システムの概要を示した図である。
【００１８】
遊技機１０は、パチンコ機、スロットマシン、ビデオゲーム機など遊技場に配置して遊技者に遊技を提供する装置である。遊技機１０は、複数のユニットを組み立てることにより製造される。ユニットは、交換可能な装置、デバイス、基板、であって、例えば、液晶パネル装置、リールユニット、ホッパーユニット、画像処理回路基板などである。遊技機１０及びそのユニットには、識別情報保持手段である無線ＩＣタグが付されている。遊技機１０及びそのユニットに取り付けられた無線ＩＣタグは、リーダ／ライタ４０によって読み取られ、どの遊技機１０及びユニットが製造会社２０から搬出され、あるいは搬入されたかを検出できるようになっている。
【００１９】
以下、遊技機１０は、レンタルで無く販売された場合を例に記述する。製造会社２０は、無線ＩＣタグを付したユニットを組み立てることなどによって遊技機１０を製造する。製造された遊技機１０は遊技場３０に販売される。遊技場３０によって買い取られた遊技機１０は製造会社２０から遊技場３０に搬送される。遊技機１０は遊技場３０に設置され遊技者の遊技に供され、稼働状態に置かれる。
【００２０】
その後、新機種の導入などの理由により遊技場３０は遊技機１０を廃棄する。製造会社２０は廃棄された遊技機１０を遊技場３０から買い取り、あるいは無償で引き取る。製造会社２０は、買い取り又は引き取った使用済み遊技機１０を遊技場３０から自社の製造工場や倉庫に搬入し、遊技機１０が備えているユニットのうち新たな遊技機１０を製造するために使用可能なユニット、あるいは耐用年数が経過していないユニットを取り外して使用する。すなわち、ユニットをリサイクルして使用する。
【００２１】
さて、遊技機１０が製造会社２０から遊技場３０へ搬出されるまえは、遊技機１０は在庫として製造会社２０の資産として扱われる。その後、遊技機１０が製造会社２０から遊技場３０へ搬出されると、遊技機１０及びそれが備えるユニットは、製造会社２０の資産でなくなる。その後、リサイクル用のユニットとして遊技機１０が製造会社２０に引き取られると、遊技機１０のユニットは新たな遊技機１０の製造用の部品、あるいは新しく製造された遊技機１０として製造会社２０の資産となる。
【００２２】
さて、使用済みのユニットが組み込まれた新たな遊技機１０は、遊技場３０によって買い取られると、遊技場３０に搬送される。その後、使用済みとなったこの遊技機１０は再度遊技場３０から製造会社２０の製造工場や倉庫に搬入され、遊技機１０が備えているユニットのうち新たな遊技機１０を製造するために使用可能なものを取り外して、必要に応じた手入れを行いリサイクルして使用する。
【００２３】
このように、遊技機１０のユニットを繰り返し使用してリサイクルすることにより、資源の節約や産業廃棄物の減量といった環境経営を行うことが可能となる。
【００２４】
但し、遊技機１０のユニットは使用済みであるため、その資産価値は新品時に比べて減少していく。価値管理装置５０は、ユニットの利用回数や使用期間など遊技機１０やユニットの資産価値を無線ＩＣタグの読み取り結果に基づいて算出し、リアルタイムで製造会社における部品在庫の価値を把握することを可能とし、もってリアルタイムでの企業の資産価値の把握を可能とする。
【００２５】
図２は、本実施の形態にかかる価値管理システムの構成例を示すブロック図である。価値管理システム２００は、価値管理装置５０と、価値管理装置５０に接続されたリーダ／ライタ４０Ａ，４０Ｂとを有している。
【００２６】
価値管理装置５０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの情報処理装置である。前記ＲＯＭ、若しくはハードディスク装置などに情報処理装置を価値管理装置２０１として機能させるためのプログラム、又は価値管理方法をコンピュータに実行させるためのプログラムが記憶されており、このプログラムを主メモリ上に載せ、ＣＰＵがこれを実行することにより価値管理装置５０が実現され、若しくは価値管理方法が実行される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００２７】
リーダ／ライタ４０（搬出検出側のリーダ／ライタと、搬入検出側のリーダ／ライタを区別するため、それぞれリーダ／ライタ４０Ａ，４０Ｂとするが、両リーダ／ライタは装置としては同じ構成／機能を有する装置である）は、ＩＣタグから無線によりＩＣタグに記憶されている情報を読み取り、読み取った情報を価値管理装置５０に渡す機能を有する。
【００２８】
図２に示す例においては、遊技機１０は、３つのユニット、すなわちユニットＡ（例えば、液晶ディスプレイ装置）、ユニットＢ（例えば、リールユニット）、ユニットＣ（例えば、リール駆動モータ）などを含んだ装置である。本発明における「ユニット」とは、本価値管理システムにおいて価値管理の対象となる、装置、部品、構成要素などである。なお、ユニットには、別のユニットを含んでいてもよい。なお、どのような部品を本発明におけるユニットとして扱うかは、どのような部品の価値管理を行うかに従って決定される。どのようにユニットを定めるかは、価値管理システムの使用者に決定に従って自由に定めることが可能であって、装置の物理的構成などに制限されることはない。
【００２９】
さて、遊技機１０及び各ユニットにはＩＣタグ２０１が付されている。すなわち、遊技機１０にＩＣタグ２０１が付されていると共に、各ユニットＡ，Ｂ，ＣにもそれぞれＩＣタグ２０１が付されている。各ＩＣタグにはそれぞれのＩＣタグを一意に特定できる情報である識別情報が、リーダ／ライタ４０により読み取り可能に記憶されている。
【００３０】
遊技機１０が製造会社２０の資産でなくなる状況、例えば、倉庫から搬出されて遊技場３０に輸送されるとき、倉庫の搬出口ゲートなどに設けたリーダ／ライタ４０Ａによりこの遊技機１０及びこの遊技機１０内のユニットＡ，Ｂ、Ｃに付された各ＩＣタグ２０１を読み取る。価値管理装置５０は、読み取ったＩＣタグの識別情報に基づいて、遊技機１０及びこの遊技機１０内のユニットＡ，Ｂ、Ｃは製造会社２０の資産でなくなったと判定し、この判定に基づいて資産価値の処理を行う。
【００３１】
一方、遊技機１０が製造会社２０の資産となる状況、例えば、遊技場３０から倉庫に搬入する際、倉庫の搬入口ゲートなどに設けたリーダ／ライタ４０Ｂによりこの遊技機１０及びこの遊技機１０内のユニットＡ，Ｂ、Ｃに付された各ＩＣタグを読み取る。価値管理装置５０は、読み取ったＩＣタグ２０１の識別情報に基づいて、遊技機１０及びこの遊技機１０内のユニットＡ，Ｂ、Ｃは製造会社２０の資産になったと判定し、この判定に基づいて資産価値の処理を行う。
【００３２】
また、価値管理装置５０は、各ユニットの資産価値について減価償却額を反映させる処理である減価償却反映処理を行い、残存価値をリアルタイムで把握する機能を有している。
【００３３】
図３は、価値管理装置５０の一例を示す機能ブロック図である。価値管理装置５０は、リーダ／ライタ４０Ａ，４０Ｂからの識別情報に応じて、遊技機１０及び／又はこの遊技機１０内のユニットが製造会社２０の資産からはずれたのか、あるいは資産に加わったのかを判定する判定部３０１と、遊技機１０及びこの遊技機１０内のユニットの残存価値、資産価値を算出する価値算出部３０２と、価値算出部３０２により算出された遊技機１０及び／又はこの遊技機１０内のユニットの残存価値、資産価値を記憶する記憶部３０３とを有する。また、価値算出部３０２は、遊技機１台ごとにその遊技機中の全ユニットの残存価値を集計して、その遊技機１０の価値（個別遊技機価値と呼ぶ）を算出する。算出された各遊技機１０の価値は、記憶部３０３によって記憶され、製造原価計算などに利用される。
【００３４】
記憶部３０３に記憶された残存価値、資産価値、及び個別遊技機価値は、価値管理装置５０に接続された経理システム３０４によって利用可能である。経理システム３０４は、バランスシート（Ｂ／Ｓ）、損益計算書、などの書類作成に、記憶部３０３に記憶された残存価値、資産価値を利用することにより、より正確な財務状況をこれら書類に反映させることが可能となる。
【００３５】
また、経理システム３０４は、記憶部３０３に記憶された個別遊技機価値を利用して、遊技機の製造原価計算を行うことができる。
【００３６】
［２．価値管理装置の動作例］
次に、価値管理装置５０の動作例について説明する。
［２．１．新遊技機完成時］
まず、新品のあるユニットが組み込まれた新しい遊技機１０が出荷待ちになって、製造会社２０の倉庫に保管されているとき、価値管理装置２０１は図４に示すような、価値管理テーブル４００を記憶している。
【００３７】
価値管理テーブル４００は、記憶部３０３に記憶されるデータであって、各ユニットに付されたＩＣタグ２０１が記憶格納する識別情報と、そのＩＣタグ２０１が付されたユニットの残存価値、資産価値を記憶する。
【００３８】
価値管理テーブル４００は、ユニットごとに一つのレコード４０１を有しており、各レコード４０１は、部品ＩＤフィールド４０２、種別ＩＤフィールド４０３，搬入年月日フィールド４０４、搬出年月日フィールド４０５，ステイタスフィールド４０６，取得年月日フィールド４０７，取得原価フィールド４０８，減価償却累計額フィールド４０９，残存価額フィールド４１０，資産価値フィールド４１１を有している。
【００３９】
部品ＩＤフィールド４０２は、ＩＣタグ２０１が付されたユニットを一意に特定する情報である部品ＩＤを格納するフィールドである。なお、ＩＣタグ２０１は、部品ＩＤそのものを格納していてもよいし、ＩＣタグ２０１の識別情報と部品ＩＤとを一対一の関係となるように定めた、識別情報を格納していてもよい。
【００４０】
種別ＩＤフィールド４０３は、そのレコード４０１のユニットの種類を特定する情報である種別ＩＤを格納するフィールドである。例えば、２つのリールユニットがあるものとすると、これら２つのリールユニットにはそれぞれ別の部品ＩＤが設定されるが、ユニットの種類としては同一なので、種別ＩＤは同一となる。
【００４１】
搬入年月日フィールド４０４は、そのレコード４０１に対応するユニットが製造会社２０に搬入されるなどして、製造会社の資産となった年月日を格納するフィールドである。
【００４２】
搬出年月日フィールド４０５は、そのレコード４０１に対応するユニットが製造会社２０から搬出されるなどして、製造会社２０の資産からはずれた年月日を格納するフィールドである。
【００４３】
ステイタスフィールド４０６は、そのレコード４０１に対応するユニットが製造会社２０の資産になっているのか否かを示すステイタス情報を格納するフィールドである。このステイタス情報は、搬入年月日フィールド４０４、及び搬出年月日フィールド４０５の情報を比較することにより、判定部３０１が決定する。
【００４４】
取得年月日フィールド４０７は、そのユニットを新規に取得した年月日（例えば、そのユニットを新規に購入した年月日で、リサイクルで取得した日時ではない）を格納する。
【００４５】
取得原価フィールド４０８は、そのユニットの償却の基礎となる価格である取得価格（例えば、当該ユニットの購入価格）を格納する。
【００４６】
減価償却累計額フィールド４０９は、取得年月日から現在までに発生した減価償却額の累計を格納する。
【００４７】
残存価額フィールド４１０は、現時点でのそのユニットの資産としての価額、すなわち取得原価から減価償却累計額を差し引いた価額を格納する。
【００４８】
資産価値フィールド４１１は、資産価額にそのユニットが製造会社２０の資産であるか否かを反映した情報を格納する。この例では、資産であると判定されている場合には、資産価額フィールド４１０に格納された価額と同額の価額が格納され、資産でない（なくなった）と判定されている場合には、０円が格納される。
【００４９】
図４に示す例では、新規のユニットであってある遊技機１０に組み込まれている状態のユニットについて、レコード４１０を有する価値管理テーブル４００を示している。このユニットは、製造会社２０が「２００４／１／１」（２００４年１月１日）に購入したものである。部品ＩＤフィールド４０２には、このユニットを一意に特定する部品ＩＤ「１２３４５６」が格納され、種別ＩＤフィールド４０３には、このユニットの種別（例えば、リールユニット）を特定する情報である種別ＩＤ「１００００」が格納されている。搬入年月日フィールド４０４には、このユニットが製造会社２０に搬入された年月日（部品として購入した年月日）「２００４／１／１」が格納される。搬出年月日フィールド４０５には、このユニットは製造会社から搬出されたことはないため、空白である。ステイタスフィールド４０６には、このユニットが製造会社２０の資産であることを表す「在庫」というステイタス情報が格納されている。取得年月日フィールド４０７には、このユニットの取得年月日である「２００４／１／１」が格納されている。取得原価フィールド４０８には、このユニットの取得原価（購入価格）である「￥５０，０００」が格納されている。減価償却累計額フィールド４０９には、まだ減価償却が発生していないため「￥０」が格納されている。資産価額フィールド４１０には、取得原価「￥５０，０００」から減価償却累計額「￥０」を差し引いた「￥５０，０００」が格納されている。資産価値フィールド４１１には、このユニットが製造会社２０の資産であるため、資産価額フィールド都道額の「￥５０，０００」が格納されている。
【００５０】
なお、このレコードに格納されている各データは、初期データであって価値管理装置５０が自動的に入力するものではなく、購買データなどに基づいてデータのトランスファーにより生成したり、あるいはオペレータが購入時の書類などに基づいて入力して生成することが一般的である。
【００５１】
記憶部３０３には、上記価値管理テーブル４００の他に、減価償却累計額を決定するための減価償却額テーブルを有している。図５に減価償却額テーブルの例を示す。減価償却額テーブル５００は、各種別ＩＤごとに一つのレコード５０１を有しており、各レコード５０１は、種別ＩＤフィールド５０２，耐用年数フィールド５０３，一年目減価償却費フィールド５０４，二年目減価償却費フィールド５０５，三年目減価償却費フィールド５０６，…を有している。なお、減価償却費フィールドの数は耐用年数に応じて定まる。例えば、耐用年数が５年であれば、一年目減価償却費フィールド５０４から五年目減価償却費フィールドをそのレコード５０１は有することとなる。なお、図５に示す例では、定額法による減価償却に対応した内容になっているが、定率法に対応した減価償却額テーブルを用いても本実施の形態は成立することは言うまでもない。
【００５２】
種別ＩＤフィールド５０２は、価値管理テーブル４００の種別ＩＤフィールド４０３と共通の種別ＩＤを用いる。価値算出部３０２は、価値管理テーブル４００の減価償却累計額フィールド４０９に減価償却額の累計を格納させる際に、種別ＩＤフィールド４０３の種別ＩＤをキーにして減価償却額テーブル５００の中から、同一の種別ＩＤを有するレコード５０１を検索し、そのレコード５０１の耐用年数フィールド５０３，一年目減価償却費フィールド５０４，二年目減価償却費フィールド５０５，三年目減価償却費フィールド５０５，…を参照して、減価償却額の累計を算出し、算出した累計を価値管理テーブル４００の減価償却累計額フィールド４０９に格納させる。
【００５３】
［２．２．新遊技機搬出時］
次に、上記のユニットを有する遊技機１０が遊技場３０に販売され、製造会社２０から搬出されたときの、価値管理装置５０の動作を説明する。
【００５４】
搬出を検出するリーダ／ライタ４０Ａが設けられた場所を、上記ユニットを有する遊技機１０が通過したものとする。搬出を検出するリーダ／ライタ４０Ａは、価値管理装置５０に読み取ったＩＣタグからの識別情報を送る。価値管理装置５０は、搬出を検出するリーダ／ライタ４０Ａから受け取った識別情報に基づいて価値管理テーブル４００の更新を行う。
【００５５】
一台の遊技機１０には複数のユニットがあり、すなわち複数のＩＣタグ２０１が搬出を検出するリーダ／ライタ４０Ａによって読み取られる。価値管理装置５０は、各ＩＣタグについて価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００５６】
図６は、図５の価値管理テーブル４００のレコード４０１に対応するユニットを組み込まれた遊技機１０が搬出された際に、価値管理装置５０によって更新された価値管理テーブル４００の例を示している。
【００５７】
図６に示す例において、価値管理装置５０、より詳しくは判定部３０１は、リーダ／ライタ４０Ａから受け取った識別情報に基づいてレコード４０１を特定し、この特定したレコード４０１の搬出年月日フィールド４０５の情報を、価値管理装置５０のタイマ、あるいはカレンダに基づいて現在年月日に更新する。この例では、搬出が行われた年月日を２００４年３月１日（２００４／３／１）とする。搬入年月日フィールド４０４の更新は行わない。
【００５８】
また、価値管理装置５０、より詳しくは判定部３０１は、搬入年月日フィールド４０４，搬出年月日フィールド４０５を比較して比較結果に基づいてステイタスフィールド４０６の情報を更新する。この例では、出年月日フィールド４０５に格納されている年月日が搬入年月日フィールド４０４に格納されている年月日より新しいので、価値管理装置５０より詳しくは判定部３０は、ステイタスフィールド４０６に「売却」という情報を格納する。
【００５９】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００（図５参照）から減価償却累計額を取得する。例えば、取得年月日より現在年月日が一年以上二年未満である場合、価値管理装置５０、より詳しくは価値算出部３０２は、対応する種別ＩＤを有するレコード５０１の一年目減価償却費フィールド５０４に格納された値を取得し、減価償却累計額フィールド４０９に格納する。また、取得年月日より現在年月日が二年以上三年未満である場合、価値管理装置５０、より詳しくは価値算出部３０２は、対応する種別ＩＤを有するレコード５０１の一年目減価償却費フィールド５０４、二年目減価償却費フィールド５０５に格納された値を取得しこれらの値を合計して、減価償却累計額フィールド４０９に格納する。
【００６０】
またさらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。
【００６１】
またさらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産でなくなったことを示す「売却」という情報が格納されているので、価値管理装置５０、より詳しくは価値算出部３０２は、０円を格納する。
【００６２】
価値管理装置５０は、上記のようなレコード４０１の更新を、リーダ／ライタ４０Ａが検出したＩＣタグ２０１すべて、すなわちＩＣタグの付されたユニットすべてについて行う。
【００６３】
［２．３．使用済み遊技機搬入時］
次に、上記のユニットを有する遊技機１０が遊技場３０から製造会社２０に回収され、製造会社２０に搬入された場合の、価値管理装置５０の動作を説明する。
【００６４】
搬入を検出するリーダ／ライタ４０Ｂが設けられた場所を、上記ユニット（図５，６で扱ったユニット）を有する遊技機１０が通過したものとする。搬入を検出するリーダ／ライタ４０Ｂは、価値管理装置５０に読み取ったＩＣタグからの識別情報を送る。価値管理装置５０は、搬出を検出するリーダ／ライタ４０Ｂから受け取った識別情報に基づいて価値管理テーブル４００の更新を行う。
【００６５】
搬出の説明と同様であるが、一台の遊技機１０には複数のユニットがある。すなわち遊技機１０に含まれる複数のＩＣタグ２０１すべてが搬入を検出するリーダ／ライタ４０Ｂによって読み取られる。価値管理装置５０は、各ＩＣタグ２０１について価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００６６】
図７は、図４、６の価値管理テーブル４００のレコード４０１に対応するユニットを組み込まれた遊技機１０が使用後に搬入されることによって、価値管理装置５０に更新された価値管理テーブル４００の例を示している。
【００６７】
図７に示す例において、価値管理装置５０、より詳しくは判定部３０１は、リーダ／ライタ４０Ｂから受け取った識別情報に基づいてレコード４０１を特定し、この特定したレコード４０１の搬入年月日フィールド４０４の情報を、価値管理装置５０のタイマ、あるいはカレンダに基づいて現在年月日に更新する。この例では、搬入が行われた年月日を２００５年２月１日（２００５／２／１）とする。一方、搬出年月日フィールド４０４の更新は行わない。
【００６８】
また、価値管理装置５０、より詳しくは判定部３０１は、搬入年月日フィールド４０４，搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より古いので、価値管理装置５０より詳しくは判定部３０は、ステイタスフィールド４０６に「回収」という情報を格納する。
【００６９】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図７の例では、取得年月日より現在年月日が一年以上二年未満であるため、価値管理装置５０、より詳しくは価値算出部３０２は、対応する種別ＩＤを有するレコード５０１の一年目減価償却費フィールド５０４に格納された値を取得し、減価償却累計額フィールド４０９に格納する。図７の例では、図５に示す減価償却額テーブル５００の一年目減価償却費フィールド５０４に格納されている値「￥１０，０００」が減価償却累計額フィールド４０９に格納されることになる。
【００７０】
またさらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図７の例では、取得価額「￥５０，０００」から減価償却累計額「￥１０，０００」を差し引いた額「￥４０，０００」が残存価額フィールド４１０に格納されることになる。
【００７１】
またさらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産になったことを示す「回収」という情報が格納されているので、価値管理装置５０、より詳しくは価値算出部３０２は、残存価額フィールド４１０に格納された「￥４０，０００円」を格納する。
【００７２】
価値管理装置５０は、上記のようなレコード４０１の更新を、リーダ／ライタ４０Ｂが検出したＩＣタグ２０１すべて、すなわちＩＣタグの付されたユニットすべてについて行う。
【００７３】
このように、価値管理装置５０が価値管理テーブル４００の更新を行うことにより、回収した遊技機１０のユニットを、新たな遊技機１０を製造するための部品として会社の資産として把握できるようにすると共に、その資産価値について減価償却費を反映させることができる。
【００７４】
［２．４．再生遊技機搬出時］
次に、上記の使用済みユニットを組み込んだ新たな遊技機１０（再生遊技機と呼ぶ）が遊技場３０に販売され、製造会社２０から搬出されたときの、価値管理装置５０の動作を説明する。
【００７５】
搬出を検出するリーダ／ライタ４０Ａが設けられた場所を、上記ユニットを有する再生遊技機１０が通過したものとする。搬出を検出するリーダ／ライタ４０Ａは、価値管理装置５０に読み取ったＩＣタグからの識別情報を送る。価値管理装置５０は、搬出を検出するリーダ／ライタ４０Ａから受け取った識別情報に基づいて価値管理テーブル４００の更新を行う。
【００７６】
一台の再生遊技機１０には複数のユニットがあり、すなわち複数のＩＣタグ２０１が搬出を検出するリーダ／ライタ４０Ａによって読み取られる。価値管理装置５０は、各ＩＣタグについて価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００７７】
図８は、図４、６，７の価値管理テーブル４００のレコード４０１に対応するユニットを組み込まれた再生遊技機１０が搬出された際に、価値管理装置５０によって更新された価値管理テーブル４００の例を示している。
【００７８】
図８に示す例において、価値管理装置５０、より詳しくは判定部３０１は、リーダ／ライタ４０Ａから受け取った識別情報に基づいてレコード４０１を特定し、この特定したレコード４０１の搬出年月日フィールド４０５の情報を、価値管理装置５０のタイマ、あるいはカレンダに基づいて現在年月日に更新する。この例では、搬出が行われた年月日を２００６年７月１日（２００６／７／１）とする。搬入年月日フィールド４０４の更新は行わない。
【００７９】
また、価値管理装置５０、より詳しくは判定部３０１は、搬入年月日フィールド４０４，搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より新しいので、価値管理装置５０、より詳しくは判定部３０は、ステイタスフィールド４０６に「売却」という情報を格納する。
【００８０】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図８に示す例では、取得年月日より現在年月日が二年以上三年未満であるため、価値管理装置５０、より詳しくは価値算出部３０２は、対応する種別ＩＤを有するレコード５０１の一年目減価償却費フィールド５０４、二年目減価償却費フィールド５０５に格納された値を取得しこれらの値を合計して、減価償却累計額フィールド４０９に格納する。具体的には、図８の例では、図５に示す減価償却額テーブル５００の一年目減価償却費フィールド５０４に格納されている値「￥１０，０００」及び二年目減価償却費フィールド５０５に格納されている値「￥１０，０００」の合計額「￥２０，０００」が減価償却累計額フィールド４０９に格納されることになる。
【００８１】
またさらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図８に示す例では、取得価格「￥５０，０００」より減価償却累計額「￥２０，０００」を差し引いた「￥３０，０００」が残存価額フィールド４１０に格納される。
【００８２】
またさらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産でなくなったことを示す「売却」という情報が格納されているので、価値管理装置５０、より詳しくは価値算出部３０２は、０円を格納する。
【００８３】
価値管理装置５０は、上記のようなレコード４０１の更新を、リーダ／ライタ４０Ａが検出したＩＣタグ２０１すべて、すなわちＩＣタグの付されたユニットすべてについて行う。
【００８４】
［２．５．使用済み再生遊技機搬入時］
次に、遊技場３０に送られた再生遊技機１０が遊技場３０から製造会社２０に回収され、製造会社２０に搬入された場合の、価値管理装置５０の動作を説明する。
【００８５】
搬入を検出するリーダ／ライタ４０Ｂが設けられた場所を、上記ユニット（図５，６で扱ったユニット）を有する使用済み再生遊技機１０が通過したものとする。搬入を検出するリーダ／ライタ４０Ｂは、価値管理装置５０に読み取ったＩＣタグからの識別情報を送る。価値管理装置５０は、搬出を検出するリーダ／ライタ４０Ｂから受け取った識別情報に基づいて価値管理テーブル４００の更新を行う。
【００８６】
一台の使用済み再生遊技機１０には複数のユニットがある。すなわち遊技機１０に含まれる複数のＩＣタグ２０１すべてが搬入を検出するリーダ／ライタ４０Ｂによって読み取られる。価値管理装置５０は、各ＩＣタグ２０１について価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００８７】
図９は、図４、６、７，８の価値管理テーブル４００のレコード４０１に対応するユニットを組み込まれた遊技機１０が使用後に搬入されることによって、価値管理装置５０に更新された価値管理テーブル４００の例を示している。
【００８８】
図９に示す例において、価値管理装置５０、より詳しくは判定部３０１は、リーダ／ライタ４０Ｂから受け取った識別情報に基づいてレコード４０１を特定し、この特定したレコード４０１の搬入年月日フィールド４０４の情報を、価値管理装置５０のタイマ、あるいはカレンダに基づいて現在年月日に更新する。この例では、使用済み再生遊技機１０の搬入が行われた年月日を２００７年５月１日（２００７／５／１）とする。一方、搬出年月日フィールド４０４の更新は行わない。
【００８９】
また、価値管理装置５０、より詳しくは判定部３０１は、搬入年月日フィールド４０４，搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より古いので、価値管理装置５０より詳しくは判定部３０は、ステイタスフィールド４０６に「回収」という情報を格納する。
【００９０】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図９の例では、取得年月日より現在年月日が三年以上四年未満であるため、価値管理装置５０、より詳しくは価値算出部３０２は、対応する種別ＩＤを有するレコード５０１の一年目減価償却費フィールド５０４、二年目減価償却費フィールド５０５、三年目減価償却費フィールド５０６のそれぞれに格納された値を取得し、減価償却累計額フィールド４０９に格納する。図９の例では、図５に示す減価償却額テーブル５００の一年目減価償却費フィールド５０４に格納されている値「￥１０，０００」、二年目減価償却費フィールド５０５に格納されている値「￥１０，０００」、及び三年目減価償却費フィールド５０６に格納されている値「￥１０，０００」の合計額である「￥３０，０００」が減価償却累計額フィールド４０９に格納されることになる。
【００９１】
またさらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図７の例では、取得価額「￥５０，０００」から減価償却累計額「￥３０，０００」を差し引いた額「￥２０，０００」が残存価額フィールド４１０に格納されることになる。
【００９２】
またさらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産になったことを示す「回収」という情報が格納されているので、価値管理装置５０、より詳しくは価値算出部３０２は、残存価額フィールド４１０に格納された「￥２０，０００円」を格納する。
【００９３】
これにより、このレコード４０１に対応するユニットであって、減価償却が反映された資産価値として「￥２０，０００」を有するユニットが製造会社２０の資産となっていることが把握できる。
【００９４】
価値管理装置５０は、上記のようなレコード４０１の更新を、リーダ／ライタ４０Ｂが検出したＩＣタグ２０１すべて、すなわちＩＣタグの付されたユニットすべてについて行う。従って、本実施の形態にかかる資産管理システム２００、資産管理装置５０によれば、搬入された使用済み再生遊技機１０が有するユニット（ＩＣタグが付されているユニットに限る）のすべてについて、リアルタイムで減価償却が反映された資産価値を把握することが可能となる。
【００９５】
このように、価値管理装置５０が価値管理テーブル４００の更新を行うことにより、回収した遊技機１０のユニットを、新たな遊技機１０を製造するための部品として会社の資産として把握できるようにすると共に、その資産価値についてを反映した減価償却費を反映させることができる。
【００９６】
［３．遊技機の資産価値の管理］
上記価値管理装置５０は、遊技機１０それぞれの資産価値を管理することも可能である。例えば、すべて新品のユニットで構成されている遊技機と、使用済みのリサイクルしたユニットを用いた遊技機１０の資産価値は、使用済みユニットの減価償却分を考慮すれば、異なった扱いとすべきである。価値管理装置５０は、上記価値管理テーブル４００を用いて、遊技機１０それぞれの資産価値を管理する。
【００９７】
図１０は、価値管理装置５０が遊技機１０それぞれの資産価値を管理するために生成する、遊技機構成部品テーブルの例である。遊技機構成部品テーブル１０００は、遊技機１０を一意に特定する情報であるシリアルナンバーと、その遊技機１０に含まれるユニットとを対応づけて記憶するためのテーブルである。図１０に示す例では、遊技機構成部品テーブル１０００は、遊技機１０ごとに一つのレコード１００１を有している。各レコード１００１は、シリアルナンバーフィールド１００２と、部品ＩＤフィールド１００３，１００４，１００５，…を有している。シリアルナンバーフィールド１００２は、遊技機１０に付されたＩＣタグ２０１が格納する識別情報、又はこれに対応する情報、例えば、遊技機のシリアルナンバー、あるいは遊技機ＩＤナンバーが格納される。部品ＩＤフィールド１００３，１００４，１００５，…は、その遊技機１０を構成するユニットの部品ＩＤを格納するフィールドである。通常、遊技機１０が有するユニットの個数分の部品ＩＤフィールド１００３，１００４，１００５，…が設けられることになる。遊技機構成部品テーブル１０００で用いる部品ＩＤと、価値管理テーブル４００の部品ＩＤフィールド４０２で用いる部品ＩＤは共通である。
【００９８】
一台ずつ遊技機１０をリーダ／ライタ４０Ｂ（４０Ａでもその他のリーダ／ライタでもよい）により読み取りさせると、遊技機１０に付されたＩＣタグ２０１の読み取りと同時に、その遊技機１０を構成するユニットに付されたＩＣタグ２０１の読み取りも行われる。そこで、これら同時に読み取りできたＩＣタグの識別情報を互いに関連づけて一つのレコード１００１に格納することにより、価値管理装置５０は、遊技機構成部品テーブル１０００を生成する。
【００９９】
さらに、価値管理装置５０は、遊技機構成部品テーブル１０００に基づいて、各遊技機１０の資産価値を把握するための遊技機価値テーブル１００１を生成する。図１１は、遊技機価値テーブル１００１の一例を示す図である。図１１に示す例では、遊技機価値テーブル１００１は、遊技機１０ごとに一つのレコード１１０１を有している。各レコード１１０１は、シリアルナンバーフィールド１１０２と、部品残存価額フィールド１１０３，１１０４，１１０５，…を有している。
【０１００】
シリアルナンバーフィールド１１０２は、遊技機１０に付されたＩＣタグ２０１が格納する識別情報、又はこれに対応する情報、例えば、遊技機のシリアルナンバー、あるいは遊技機ＩＤナンバーが格納される。遊技機構成部品テーブル１０００のシリアルナンバーフィールド１００２と遊技機価値テーブル１１００のシリアルナンバーフィールド１１０２とにおいては、共通の識別情報を使用する。
【０１０１】
価値管理装置５０は、シリアルナンバーフィールド１１０２が有する識別情報と同一の識別情報を格納したシリアルナンバーフィールド１００２を有するレコード１００１を遊技機構成部品テーブル１０００から抽出し、抽出したレコード１００１の各部品ＩＤフィールドから部品ＩＤを取得する。次に、価値管理装置５０は、取得した部品ＩＤに対応する部品ＩＤを有するレコード４０１を価値管理テーブル４００から抽出し、抽出したレコード４０１の残存価額フィールド４１０から残存価額を取得し、部品残存価額フィールド１１０３，１１０４，１１０５、…に格納する。この処理により価値管理装置５０は、遊技機価値テーブル１１００を生成する。
【０１０２】
各レコード１１０１の部品残存価額フィールド１１０３，１１０４，１１０５、…の残存価額を合計することにより、シリアルナンバーフィールド１１０２の識別情報によって特定される遊技機１０の価値が、減価償却を反映させた価値として把握することができる。
【０１０３】
かかる遊技機価値テーブル１１００を生成する価値管理装置５０によれば、従来不可能であった、リサイクル／リユースによって発生する減価償却を製品個々に反映させて、管理することが可能になる。
【図面の簡単な説明】
【０１０４】
【図１】本実施の形態にかかる資産管理システムの概要を示した図
【図２】本実施の形態にかかる価値管理システムの構成例を示すブロック図
【図３】価値管理装置の機能ブロック図
【図４】価値管理テーブルの例を示す図
【図５】減価償却額テーブルの例を示す図
【図６】価値管理装置によって更新された価値管理テーブルの例を示す図
【図７】価値管理装置によって更新された価値管理テーブルの例を示す図
【図８】価値管理装置によって更新された価値管理テーブルの例を示す図
【図９】価値管理装置によって更新された価値管理テーブルの例を示す図
【図１０】遊技機構成部品テーブルの例を示す図
【図１１】遊技機価値テーブルの例を示す図
【符号の説明】
【０１０５】
１０…遊技機
２０…製造会社
３０…遊技場
４０…リーダ／ライタ
５０…価値管理装置
２００…資産管理システム
２０１…（無線）ＩＣタグ
３０１…判定部
３０２…価値算出部
３０３…記憶部
【図１】
2007299280.tif 000003
【図２】
2007299280.tif 000004
【図３】
2007299280.tif 000005
【図４】
2007299280.tif 000006
【図５】
2007299280.tif 000007
【図６】
2007299280.tif 000008
【図７】
2007299280.tif 000009
【図８】
2007299280.tif 000010
【図９】
2007299280.tif 000011
【図１０】
2007299280.tif 000012
【図１１】
2007299280.tif 000013